(57)【要約】      （修正有）【課題】レトルトパウチ食品の袋を可動熱板と固定熱板との間に挟持した状態を保持するための手段を必要とすることなく、しかも可動熱板と固定熱板との間へのレトルトパウチ食品の袋の挿入を容易に行い得るレトルトパウチ食品の加熱調理器を提供する。【解決手段】レトルトパウチ食品の加熱調理器１は、上部に開口部３を設けた方形状の本体ケース２の内部に所定の間隔を設けて相対向する状態で可動熱板１０と固定熱板２０とを配置し、可動熱板１０を付勢手段４０の付勢力により固定熱板２０と近接する方向に常時付勢するとともに、付勢時の可動熱板１０と固定熱板２０との間隔が、上方では狭く下方では広くなるように構成した。【選択図】図２
0003235450.tif 000002
【実用新案登録請求の範囲】
【請求項１】
上部に開口部を設けた方形状の本体ケースの内部に所定の間隔を設けて相対向する状態で可動熱板と固定熱板とを配置し、前記可動熱板を付勢手段の付勢力により固定熱板と近接する方向に常時付勢するとともに、付勢時の前記可動熱板と固定熱板との間隔が、上方では狭く下方では広くなるように構成したことを特徴とするレトルトパウチ食品の加熱調理器。
【請求項２】
前記可動熱板の上方には、前記本体ケースの開口部から突出する状態で操作用の摘みを設けるとともに、前記摘みには耐熱性を有するカバーを取付けるようにしたことを特徴とする請求項１記載のレトルトパウチ食品の加熱調理器。
【考案の詳細な説明】
【技術分野】
【０００１】
本考案は、レトルトパウチ食品を袋のまま加熱するための加熱調理器に関する。
【背景技術】
【０００２】
従来からレトルトパウチ食品を加熱する際には、鍋等に水を沸騰させ、その中にレトルトパウチ食品を袋のまま入れて加熱したり、レトルトパウチ食品の中身を袋から皿等の器に空け、ラップフィルムを掛けた状態で電子レンジを使用して加熱したりするようにしていた。
しかしながら、前者の場合、鍋等で水を沸騰させるのに手間が掛かるとともに、使用した熱湯は捨てるしかないため、エネルギーや水が無駄になるという問題があった。更に、熱湯からレトルトパウチ食品の袋を取り出し、開封して皿等の器に中身を空けるまでの間に、周囲に水滴が落下するという問題もあった。
また、後者の場合、ラップフィルムは基本使い捨てであるため、プラスチックごみが増えるという問題があった。
【０００３】
このため、例えば特許文献１には、熱湯を使用したり、電子レンジを使用したりすることなく、レトルトパウチ食品を加熱することが可能な加熱調理器が開示されている。
特許文献１に開示されているレトルトパウチ食品の加熱調理器は、上部に開口部を設けた本体内に相対向する可動熱板と固定熱板とを開閉可能に設けるとともに、前記可動熱板と固定熱板との間にレトルトパウチ食品を袋のまま挟持した後、通電によって前記可動熱板及び固定熱板を加熱して、前記レトルトパウチ食品を所定温度まで加熱するように構成されている。
【先行技術文献】
【特許文献】
【０００４】
【特許文献１】特開平１０−３２８０３３号公報
【考案の概要】
【考案が解決しようとする課題】
【０００５】
然るに、前記特許文献１に開示されている加熱調理器においては、可動熱板が固定熱板から離間される方向に常時付勢されているので、前記可動熱板と固定熱板との間にレトルトパウチ食品の袋を挟持した状態に保持するためには、前記可動熱板の上端部を固定するストッパーが必要であった。
また、前記のように、可動熱板は固定熱板から離間される方向に常時付勢されているので、前記可動熱板と固定熱板との間隔は本体の開口部側（上方）においては広く、底板側（下方）においては狭くなっている。一方、レトルトパウチ食品の袋を縦向きに前記可動熱板と固定熱板との間に挿入する場合、前記袋の中身は重力によって袋の下方に滞留し、袋の形状は下部側の厚みが増した状態となっているので、前記レトルトパウチ食品の袋を可動熱板と固定熱板との間に底板側まで挿入することが難しいという問題があった。
【０００６】
本考案は前記種々の問題点に鑑み、レトルトパウチ食品の袋を可動熱板と固定熱板との間に挟持した状態を保持するための手段を必要とすることなく、しかも前記可動熱板と固定熱板との間へのレトルトパウチ食品の袋の挿入を容易に行い得るようにした加熱調理器の提供を目的とする。
【課題を解決するための手段】
【０００７】
前記の課題を解決するために、本考案のレトルトパウチ食品の加熱調理器は、上部に開口部を設けた方形状の本体ケースの内部に所定の間隔を設けて相対向する状態で可動熱板と固定熱板とを配置し、前記可動熱板を付勢手段の付勢力により固定熱板と近接する方向に常時付勢するとともに、付勢時の前記可動熱板と固定熱板との間隔が、上方では狭く下方では広くなるように構成した。
また、前記可動熱板の上方には、前記本体ケースの開口部から突出する状態で操作用の摘みを設けるとともに、前記摘みには耐熱性を有するカバーを取付けるようにした。
【考案の効果】
【０００８】
本考案のレトルトパウチ食品の加熱調理器においては、可動熱板が付勢手段の付勢力により固定熱板と近接する方向へ常時付勢されているので、前記可動熱板と固定熱板との間にレトルトパウチ食品の袋を挟持して加熱する際に、挟持状態を保持するための手段を設ける必要がない。また、前記可動熱板の上方には操作用の摘みを設け、前記摘みを操作することにより、前記可動熱板を付勢手段の付勢力に抗して固定熱板から離間する方向へ容易に移動させることができるので、加熱調理器を簡素に構成することができる。
また、可動熱板が固定熱板と近接する方向へ付勢されている状態において、前記可動熱板と固定熱板との間隔は、上方が狭く下方が広くなっており、前記可動熱板を付勢手段の付勢力に抗して固定熱板から離間する方向へ移動させると、その間隔は上方・下方ともほぼ同じになるので、中身が下方に滞留している状態のレトルトパウチ食品の袋を、前記可動熱板と固定熱板との間へ容易に挿入することができる。更に、レトルトパウチ食品の袋を可動熱板と固定熱板との間に挿入した後、前記可動熱板が付勢手段の付勢力により固定熱板と近接する方向へ付勢されると、前記可動熱板と固定熱板との間隔は上方が狭く下方が広い状態となるので、中身が下方に滞留した状態であってもレトルトパウチ食品の袋を前記可動熱板と固定熱板との間で確実に挟持して加熱することができる。しかも、レトルトパウチ食品の加熱が終了した後、その袋を取り出すために可動熱板を固定熱板から離間する方向へ移動させる場合、前記可動熱板の上方に設けた摘みには耐熱性を有するカバーが取付けられているため、加熱直後で可動熱板が熱くなっていても火傷等をするのを防ぐことができる。
【図面の簡単な説明】
【０００９】
【図１】（ａ）は本考案の加熱調理器を示す斜視図、（ｂ）は本考案の加熱調理器の開口部を開放した状態を示す斜視図である。
【図２】本考案の加熱調理器を模式的に示す断面図である。
【図３】本考案の加熱調理器にレトルトパウチ食品の袋を挿入する状態を示す説明図である。
【図４】本考案の加熱調理器にレトルトパウチ食品の袋を挿入した状態を示す説明図である。
【考案を実施するための形態】
【００１０】
以下、本考案を実施するための形態について、図１ないし図４を参照しながら具体的に説明する。
図１は本考案の加熱調理器１を示す斜視図である。図１に示すように、加熱調理器１は方形状の本体ケース２を備え、前記本体ケース２の上部にはレトルトパウチ食品の袋を出し入れするための開口部３が設けられている。また、前記本体ケース２の前面には加熱調理器１の稼働状態を示す表示手段４と、レトルトパウチ食品の加熱時間を設定する設定手段５が設けられているとともに、前記本体ケース２の底面には滑り止めの脚部６が、背面には図示しない電源コードが設けられている。なお、前記設定手段５はダイヤル式のものを示しているがデジタル式のものであってもよい。また、前記設定手段５による加熱時間の設定範囲は例えば０〜１０分とするのが好ましいが、これに限定されるものではない。
【００１１】
図２は本考案の加熱調理器１を模式的に示す断面図である。図２に示すように、本体ケース２の内部には、可動熱板１０と固定熱板２０とが所定の間隔を設けて相対向する状態で配置されており、前記本体ケース２の上部に設けた開口部３は図１（ｂ）及び図２に示すように半ば可動熱板１０によって塞がれている。
前記可動熱板１０は、底板３０に対して揺動可能に取付けられた可動板１１と、前記可動板１１の固定熱板２０と対向する面に設けた伝熱板１２と、前記可動板１１と伝熱板１２との間に挟着された加熱手段１３とを備えて構成されており、前記可動板１１と本体ケース２との間に介挿された付勢手段４０の付勢力によって前記固定熱板２０と近接する方向へ常時付勢されている。この際、前記可動熱板１１と固定熱板１２との間隔は、図２に示すように、上方が狭く下方が広くなっている。前記可動板１１の上方には当該可動板１１を操作するための摘み１１ａが本体ケース２の開口部３から突出する状態で設けられており、また、前記摘み１１ａには耐熱性を有するカバー１１ｂ（図１参照）が取付けられている。
前記固定熱板２０は、底板３０に対して垂直に固定された固定板２１と、前記固定板２１の可動熱板１０と対向する面に設けた伝熱板２２と、前記可動熱板１０と対向しない面に設けた加熱手段２３とを備えて構成されている。なお、前記加熱手段１３，２３としては、例えば面状の加熱ヒータ等を使用するとよい。前記加熱手段２３にはサーモスタット５０及び温度ヒューズ６０が付設されており、設定手段５により設定された加熱時間中は前記サーモスタット５０により加熱手段１３，２３を予め設定した温度範囲に保持されるようオン・オフ制御するとともに、前記サーモスタット５０が故障等して加熱手段２３が設定温度を超える温度となった場合には、前記温度ヒューズ６０が溶断して加熱手段１３，２３への通電を停止する。
【００１２】
図３は本考案の加熱調理器１にレトルトパウチ食品の袋Ｐを挿入する状態を示す説明図である。加熱調理器１にレトルトパウチ食品の袋Ｐを挿入する場合は、可動熱板１０の上方に設けた摘み１１ａを操作して、当該可動熱板１０を付勢手段４０の付勢力に抗して固定熱板２０から離間する方向（図２に矢印で示す方向）へ移動させ、前記可動熱板１０により半ば塞がれている本体ケース２の開口部３を図１（ｂ）及び図３に示すように開放するとともに、レトルトパウチ食品の袋Ｐを本体ケース２の開口部３から縦向きに可動熱板１０と固定熱板２０との間に挿入する。この際、前記可動熱板１０と固定熱板２０との間隔は、上方・下方ともほぼ同じ間隔となっているので、中身が下方に滞留している状態のレトルトパウチ食品の袋Ｐを容易に挿入することができる。
【００１３】
図４は本考案の加熱調理器１にレトルトパウチ食品の袋Ｐを挿入した状態を示す説明図である。前記のようにしてレトルトパウチ食品の袋Ｐを可動熱板１０と固定熱板２０との間に挿入した後、前記可動熱板１０の上方に設けた摘み１１ａから手を離すと、当該可動熱板１０は付勢手段４０の付勢力により図４に示すように固定熱板２０と近接する方向へ付勢され、前記レトルトパウチ食品の袋Ｐを固定熱板２０との間で挟持する。この際、前記可動熱板１０と固定熱板２０との間隔は、上方が狭く下方が広い状態となっているので、前記可動熱板１０と固定熱板２０との間に縦向きに挿入されているレトルトパウチ食品の袋Ｐは、下方に中身が滞留している状態であっても、確実に前記可動熱板１０と固定熱板２０との間で挟持することができる。
【００１４】
前記のようにレトルトパウチ食品の袋Ｐを可動熱板１０と固定熱板２０との間に挟持した状態で、本体ケース２の前面に設けた設定手段５により加熱時間を設定すると、前記可動熱板１０及び固定熱板２０に設けた加熱手段１３，２３に通電が開始され、伝熱板１２，２２を介してレトルトパウチ食品の袋Ｐが加熱される。この際、本体ケース２の前面に設けた表示手段４が点灯し、加熱調理器１が稼働中であることを表示する。また、前記加熱手段１３，２３は、加熱手段２３に付設したサーモスタット５０によりオン・オフ制御され、予め設定された温度範囲に保持される。そして、設定手段５により設定した加熱時間が経過すると、加熱手段１３，２３への通電が停止されるとともに、表示手段４が消灯する。
なお、前記加熱手段１３，２３への通電中に、前記サーモスタット５０が故障等することにより加熱手段２３が設定温度を超える温度になった場合には、当該加熱手段２３に付設した温度ヒューズ６０が溶断して、加熱手段１３，２３への通電が停止される。また、温度ヒューズ６０が溶断するまでの間にレトルトパウチ食品の袋Ｐが設定温度を超える温度で加熱された場合、前記袋Ｐが膨張することが考えられるが、前記袋Ｐの膨張に伴い可動熱板１０は付勢手段４０の付勢力に抗して固定熱板２０から離間する方向へ移動し、前記袋Ｐの膨張を吸収することができる。
【００１５】
加熱されたレトルトパウチ食品の袋Ｐを加熱調理器１から取り出す場合は、図４に示す状態から可動熱板１０の上方に設けた摘み１１ａを操作して、当該可動熱板１０を付勢手段４０の付勢力に抗して固定熱板２０から離間する方向へ移動させ、図３に示すように本体ケース２の開口部３を開放して、前記袋Ｐの上端を掴んで取り出せばよい。この際、前記可動熱板１０の摘み１１ａには耐熱性を有するカバー１１ｂ（図１参照）が取付けられているので、前記可動熱板１０が加熱直後で熱くなっている場合でも、火傷等をすることなくレトルトパウチ食品の袋Ｐを取り出すことができる。また、前記可動熱板１０と固定熱板２０との間隔は上方・下方ともほぼ同じになり、前記レトルトパウチ食品の袋Ｐが可動熱板１０側に凭れ掛かることがないので、熱くなっている可動熱板１０及び固定熱板２０に触れることなく袋Ｐを取り出すことができる。
【００１６】
以上説明したように、本考案の加熱調理器１においては、可動熱板１０が付勢手段４０の付勢力により固定熱板２０側へ常時付勢されているので、前記可動熱板１０と固定熱板２０との間にレトルトパウチ食品の袋Ｐを挟持して加熱する際に、挟持状態を保持するための手段を設ける必要がない。また、前記可動熱板１０はその上方に設けた摘み１１ａを操作することにより、付勢手段４０の付勢力に抗して固定熱板２０から離間する方向へ容易に移動させることができるので、加熱調理器１を簡素に構成することができる。
また、可動熱板１０が固定熱板２０と近接する方向へ付勢されている状態において、前記可動熱板１０と固定熱板２０との間隔は、上方が狭く下方が広くなっており、前記可動熱板１０を付勢手段４０の付勢力に抗して固定熱板２０から離間する方向へ移動させると、その間隔は上方・下方ともほぼ同じになるので、中身が下方に滞留している状態のレトルトパウチ食品の袋Ｐを、前記可動熱板１０と固定熱板２０との間へ容易に挿入することができる。更に、レトルトパウチ食品の袋Ｐを可動熱板１０と固定熱板２０との間に挿入した後、前記可動熱板１０が付勢手段４０の付勢力により固定熱板２０と近接する方向へ付勢されると、前記可動熱板１０と固定熱板２０との間隔は上方が狭く下方が広い状態となるので、中身が下方に滞留した状態であってもレトルトパウチ食品の袋Ｐを前記可動熱板１０と固定熱板２０との間で確実に挟持して加熱することができる。しかも、レトルトパウチ食品の加熱が終了した後、その袋Ｐを取り出すために可動熱板１０を固定熱板２０から離間する方向へ移動させる場合、前記可動熱板１０の上方に設けた摘み１１ａには耐熱性を有するカバー１１ｂが取付けられているため、加熱直後で可動熱板１０が熱くなっていても火傷等をするのを防ぐことができるとともに、前記袋Ｐが可動熱板１０に凭れ掛かることがないので、熱くなっている可動熱板１０及び固定熱板２０に触れることなく袋Ｐを取り出すことができる。
【符号の説明】
【００１７】
１  加熱調理器
２  本体ケース
３  開口部
４  表示手段
５  設定手段
６  脚部
１０  可動熱板
１１  可動板
１１ａ  摘み
１１ｂ  カバー
１２  伝熱板
１３  加熱手段
２０  固定熱板
２１  固定板
２２  伝熱板
２３  加熱手段
３０  底板
４０  付勢手段
５０  サーモスタット
６０  温度ヒューズ
【図１】
0003235450.tif 000003
【図２】
0003235450.tif 000004
【図３】
0003235450.tif 000005
【図４】
0003235450.tif 000006